(57)【要約】【課題】一つの装置を複数のユーザーまたは複数のグループで共用している場合において、不正アクセスや情報漏洩等を防止し、ネットワークセキュリティーの向上を図る。【解決手段】複数のネットワークポートＰａ，Ｐｂと、ネットワークポートＰａ，Ｐｂ毎に設定されたネットワーク設定を記憶するネットワーク設定記憶部１２と、各ネットワークポートＰａ，Ｐｂからのアクセス毎に、ネットワーク設定記憶部１２に記憶されている対応するネットワーク設定を用いてネットワーク通信を行う。【選択図】図１
2017084124.tif 000002
【特許請求の範囲】
【請求項１】
複数のネットワークポートと、
前記ネットワークポート毎に設定されたネットワーク設定を記憶するネットワーク設定記憶部と、
前記各ネットワークポートからのアクセス毎に、前記ネットワーク設定記憶部に記憶されている対応するネットワーク設定を用いてネットワーク通信を行う通信制御部と、を備えたことを特徴とする通信装置。
【請求項２】
請求項１に記載の通信装置であって、
前記各ネットワークポートに接続されるユーザー端末毎に対応する前記ネットワークポートを関連づけて記憶する記憶部をさらに備え、
前記通信制御部は、前記ユーザー端末からアクセスされたネットワークポートが前記記憶部に記憶されているネットワークポートと一致する場合には、前記ユーザー端末によるネットワーク通信を許可することを特徴とする通信装置。
【請求項３】
請求項２に記載の通信装置であって、
前記通信制御部は、前記ユーザー端末からアクセスされたネットワークポートが前記記憶部に記憶されているネットワークポートと一致しない場合には、前記ユーザー端末によるネットワーク通信を禁止することを特徴とする通信装置。
【請求項４】
請求項２または請求項３に記載の通信装置であって、
前記各ネットワークポートに接続される新たなユーザー端末を登録する登録部をさらに備え、
前記登録部は、任意のネットワークポートに接続された登録済みのユーザー端末から新たなユーザー端末の登録要求があった場合には、接続されている前記ネットワークポートを新たに登録されるユーザー端末が使用するネットワークポートとして設定し、前記記憶部に記憶することを特徴とする通信装置。
【請求項５】
請求項４に記載の通信装置であって、
前記各ネットワークポート毎にグループが登録されており、
前記登録部は、登録済みのグループのユーザー端末から登録されているネットワークポートを通じて新たなユーザー端末の登録要求があった場合には、新たなユーザー端末を前記グループに登録することを特徴とする通信装置。
【請求項６】
請求項２または請求項３に記載の通信装置であって、
前記各ネットワークポートに接続される新たなユーザー端末を登録する登録画面を表示する表示部をさらに備え、
前記表示部の前記登録画面から前記記憶部に記憶されているユーザー端末の認証情報と新たに登録するユーザー端末の情報とが入力された場合には、前記認証情報が入力された前記ユーザー端末に対応しているネットワークポートを新たに登録されたユーザー端末が使用するネットワークポートとして設定し、前記記憶部に記憶することを特徴とする通信装置。
【請求項７】
請求項６に記載の通信装置であって、
前記各ネットワークポート毎にグループが登録されており、
前記表示部の前記登録画面から前記グループの認証情報と新たに登録するユーザー端末の情報とが入力された場合には、新たに登録する前記ユーザー端末を前記認証情報が入力された前記グループに登録することを特徴とする通信装置。
【発明の詳細な説明】
【技術分野】
【０００１】
本発明は、複数のネットワークポートを備えた通信装置に関する。
【背景技術】
【０００２】
例えば、複写機、複合機、ファクシミリ装置等の画像形成装置（以下、ＭＦＰと略記する。）は、通常、ネットワークポートを一つだけ備えており、ネットワークの設定は、全てのユーザーが共有している。すなわち、ＭＦＰのＩＰアドレス、サブネット、ゲートウェイ、メールサーバー、ＤＮＳサーバー、ＦＴＰサーバー、ＳＭＢサーバー等の全てのサーバーを全ユーザーが共有している。
【０００３】
このようなネットワークポートＩ／Ｆ、及びネットワーク設定が単一のＭＦＰを、複数のオフィスが入るオフィスフロア等で複数のオフィスユーザーが共用して使用する場合、あるオフィスＡのユーザーが、ＭＦＰを介して別のオフィスＢのネットワークを利用することができるため、不正アクセスや情報漏洩等のネットワークセキュリティー上の問題があった。
【０００４】
この問題は、ネットワークポートが一つだけであるため、通信経路が１経路に限定されることで起こる問題である。
【０００５】
一方で、複数のネットワークポートを備えた画像処理装置等も提案されている（例えば、特許文献１参照）。
【０００６】
特許文献１には、複数の通信ポートを備え、各々の通信ポートを介して通信可能な画像処理装置において、入力された画像データを記憶する記憶部と、前記記憶部に記憶された画像データの転送ジョブ情報を取得するジョブ情報取得手段と、前記複数の通信ポートの各々が接続された通信回線の通信状態を取得する通信回線情報取得手段を備え、前記転送ジョブ情報と、前記通信状態とに基づいて、前記複数の通信ポートの中から一つの通信ポートを選択する選択手段とを有する画像処理装置が記載されている。
【先行技術文献】
【特許文献】
【０００７】
【特許文献１】特開２００８−１２６５８６号公報
【発明の概要】
【発明が解決しようとする課題】
【０００８】
上記画像処理装置は、ジョブの種類、画像データのサイズ等に基づいて、ジョブの終了時間を予測し、全てのジョブが早く終わる通信ポートを自動的に選択するものであり、通信に際し、複数の通信ポートが独立した通信を行うものではない。従って、特許文献１記載の画像処理装置においても上記問題、すなわち不正アクセスや情報漏洩等のネットワークセキュリティー上の問題は解決されていない。
【０００９】
本発明はかかる問題点を解決すべく創案されたもので、その目的は、一つの装置を複数のユーザーまたは複数のグループで共用している場合において、不正アクセスや情報漏洩等を防止し、ネットワークセキュリティーの向上を図った通信装置を提供することにある。
【課題を解決するための手段】
【００１０】
上記課題を解決するため、本発明の通信装置は、複数のネットワークポートと、前記ネットワークポート毎に設定されたネットワーク設定を記憶するネットワーク設定記憶部と、前記各ネットワークポートからのアクセス毎に、前記ネットワーク設定記憶部に記憶されている対応するネットワーク設定を用いてネットワーク通信を行う通信制御部と、を備えたことを特徴としている。
【００１１】
ここで、ネットワーク設定とは、本発明の通信装置を搭載した機器のＩＰアドレス、サブネット、ゲートウェイ、メールサーバー、ＤＮＳサーバー、ＦＴＰサーバー、ＳＭＢサーバー等を用いてネットワーク通信を行うための設定である。
【００１２】
また、本発明の通信装置は、前記各ネットワークポートに接続されるユーザー端末毎に対応する前記ネットワークポートを関連づけて記憶する記憶部をさらに備え、前記通信制御部は、前記ユーザー端末からアクセスされたネットワークポートが前記記憶部に記憶されているネットワークポートと一致する場合には、前記ユーザー端末によるネットワーク通信を許可する構成としてもよい。
【００１３】
また、本発明の通信装置は、上記構成において、前記通信制御部は、前記ユーザー端末からアクセスされたネットワークポートが前記記憶部に記憶されているネットワークポートと一致しない場合には、前記ユーザー端末によるネットワーク通信を禁止する構成としてもよい。
【００１４】
上記構成によれば、ユーザー端末をネットワークポートと関連付け（紐付け）することで、例えば任意のユーザー端末が、関連付けされていない他のネットワークポートからアクセスしてきたような場合にはこれを拒否できる。
【００１５】
また、本発明の通信装置は、前記各ネットワークポートに接続される新たなユーザー端末を登録する登録部をさらに備え、前記登録部は、任意のネットワークポートに接続された登録済みのユーザー端末から新たなユーザー端末の登録要求があった場合には、接続されている前記ネットワークポートを新たに登録されるユーザー端末が使用するネットワークポートとして設定し、前記記憶部に記憶する構成としてもよい。
【００１６】
すなわち、登録済みのユーザー端末から新たなユーザー端末の登録要求があった場合、登録部は、登録済みユーザー端末が接続されているネットワークポートを自動判別し、新たに登録されるユーザー端末が使用するネットワークポートとして、自動判別したネットワークポートを設定する構成としている。
【００１７】
また、本発明の通信装置は、上記構成において、前記各ネットワークポート毎にグループが登録されており、前記登録部は、登録済みのグループのユーザー端末から登録されているネットワークポートを通じて新たなユーザー端末の登録要求があった場合には、新たなユーザー端末を前記グループに登録する構成としてもよい。
【００１８】
また、本発明の通信装置は、前記各ネットワークポートに接続される新たなユーザー端末を登録する登録画面を表示する表示部をさらに備え、前記表示部の前記登録画面から前記記憶部に記憶されているユーザー端末の認証情報と新たに登録するユーザー端末の情報とが入力された場合には、前記認証情報が入力された前記ユーザー端末に対応しているネットワークポートを新たに登録されたユーザー端末が使用するネットワークポートとして設定し、前記記憶部に記憶する構成としてもよい。
【００１９】
すなわち、表示部の登録画面から記憶部に記憶されているユーザー端末の認証情報と新たに登録するユーザー端末の情報とが入力された場合、認証情報が入力されたユーザー端末に対応しているネットワークポートを、新たに登録されたユーザー端末が使用するネットワークポートとして自動設定する構成としている。
【００２０】
また、本発明の通信装置は、上記構成において、前記各ネットワークポート毎にグループが登録されており、前記表示部の前記登録画面から前記グループの認証情報と新たに登録するユーザー端末の情報とが入力された場合には、新たに登録する前記ユーザー端末を前記認証情報が入力された前記グループに登録する構成としてもよい。
【発明の効果】
【００２１】
本発明によれば、各ネットワークポート毎にネットワーク設定を行うことで、ネットワークポート毎に別のネットワーク資源を利用することになるため、セキュリティー上の問題が解消される。例えば、本発明の通信装置を複数のグループで共用している場合において、一つのグループから他のグループへの不正アクセスや情報漏洩等といったことを、アクセスされてきたネットワークポートを識別することで防止することができる。また、ユーザーの成りすましも防止することができる。
【図面の簡単な説明】
【００２２】
【図１】本発明の実施の形態に係る通信装置の機能ブロック図である。
【図２】記憶部に記憶されているユーザー／ポート対応テーブルの一例を示す説明図である。
【図３】本発明の通信装置を用いてネットワーク通信を行う処理手順を示すフローチャートである。
【図４】各ユーザーのアドレス帳の例を一覧表示で示す説明図である。
【図５】記憶部に記憶されているユーザー／ポート対応テーブルの一例を示す説明図である。
【図６】登録画面からユーザーを新規登録する実施形態４に対応した通信装置の機能ブロック図である。
【図７】記憶部に記憶されているユーザー／ポート対応テーブルの一例を示す説明図である。
【発明を実施するための形態】
【００２３】
以下、本発明の実施の形態について、図面を参照して説明する。
【００２４】
図１は、本発明の実施の形態に係る通信装置の機能ブロック図である。
【００２５】
この通信装置１は、複数のネットワークポート（この例では２つのネットワークポート）Ｐａ，Ｐｂと、各ネットワークポートＰａ，Ｐｂ毎に設定されたネットワーク設定Ａ，Ｂを記憶するネットワーク設定記憶部１２と、装置全体を制御する制御部１１とを備えている。
【００２６】
制御部１１は、各ネットワークポートＰａ，Ｐｂからのアクセス毎に、ネットワーク設定記憶部１２に記憶されている対応するネットワーク設定ＡまたはＢを用いてネットワーク通信を行う通信制御部１１ａと、各ネットワークポートＰａ，Ｐｂに接続される新たなユーザー端末を登録する登録部１１ｂとを備えている。
【００２７】
また、通信装置１は、各ネットワークポートＰａ，Ｐｂに接続される各グループＡ，Ｂの各ユーザー端末Ａ１，Ａ２，・・・，Ａｍ，Ｂ１，Ｂ２，・・・，Ｂｍ毎に、対応するネットワークポートＰａ，Ｐｂを関連付けたユーザー／ポート対応テーブルを記憶する記憶部１３を備えている。
【００２８】
グループＡは、ＬＡＮ回線等に複数のユーザー端末Ａ１，Ａ２，・・・，Ａｍが接続されたローカルエリアネットワークであり、ネットワークケーブル２１により通信装置１のネットワークポートＰａに接続されている。グループＢは、ＬＡＮ回線等に複数のユーザー端末Ｂ１，Ｂ２，・・・，Ｂｍが接続されたローカルエリアネットワークであり、ネットワークケーブル２２により通信装置１のネットワークポートＰｂに接続されている。
【００２９】
図２は、記憶部１３に記憶されているユーザー／ポート対応テーブルの一例を示している。
【００３０】
この対応テーブルは、グループＡの各ユーザー端末Ａ１，Ａ２，・・・，ＡｍがネットワークポートＰａに対応付け（関連付け）られており、グループＢの各ユーザー端末Ｂ１，Ｂ２，・・・，ＢｍがネットワークポートＰｂに対応付け（関連付け）られている。なお、この例では、グループＡ，Ｂ毎にネットワークポートＰａ，Ｐｂをそれぞれ対応付けているが、必ずしもグループ毎である必要はなく、各個人毎に何れかのネットワークポートに対応付けられていればよい。
【００３１】
ここで、ネットワーク設定とは、本実施の形態の通信装置１を搭載した機器のＩＰアドレス、サブネット、ゲートウェイ、メールサーバー、ＤＮＳサーバー、ＦＴＰサーバー、ＳＭＢサーバー等を用いてネットワーク通信を行うための設定であり、本実施の形態ではこの設定が複数のネットワークポートＰａ，Ｐｂ毎に設定されている。
【００３２】
これにより、各グループＡ，Ｂ毎に別々のネットワーク資源を使用することとなり、セキュリティー上の問題が解決される。すなわち、ネットワークポートＰａからのアクセスに対しては、グループＡ用に設定されたネットワーク設定Ａを用いてネットワーク通信を行うことができ、ネットワークポートＰｂからのアクセスに対しては、グループＢ用に設定されたネットワーク設定Ｂを用いてネットワーク通信を行うことができる。
【００３３】
すなわち、ネットワークポートＰａ経由でアクセスした例えばユーザー端末Ａ１のログインユーザーは、自動的にネットワーク設定Ａを使用することになり、このログインユーザーが所属するグループＡの他のユーザーに関しても、ログインすることで自動的にネットワーク設定Ａを使用することになる。
【００３４】
一方、ネットワークポートＰｂ経由でアクセスした例えばユーザー端末Ｂ１のログインユーザーは、自動的にネットワーク設定Ｂを使用することになり、このログインユーザーが所属するグループＢの他のユーザーに関しても、ログインすることで自動的にネットワーク設定Ｂを使用することになる。
【００３５】
すなわち、本実施の形態の通信装置１を使用することにより、各グループのユーザーは、自身が利用するネットワーク設定について、その使い分けを意識しなくても、常に適切なネットワーク設定を利用することができる。
【００３６】
＜ネットワーク通信の実施形態１の説明＞
次に、上記構成の通信装置１を用いてネットワーク通信を行う実施形態１について、図３に示すフローチャートを参照して説明する。
【００３７】
制御部１１は、各ネットワークポートＰａ，Ｐｂからのアクセスの有無を常に監視している（ステップＳ１）。そして、任意のユーザー端末からのログインによりいずれかのネットワークポートを通じてアクセスがあった場合（ステップＳ１でＹｅｓと判断された場合）には、まず、どのネットワークポートからのアクセスであるかを確認する（ステップＳ２）。
【００３８】
次に、制御部１１は、アクセスのあったネットワークポートを確認すると、記憶部１３に記憶されているユーザー／ポート対応テーブル（図２）を参照して、そのネットワークポートにログインしてきたユーザー端末に対応付けられているネットワークポートの一致、不一致を確認する（ステップＳ３）。
【００３９】
その結果、アクセスのあったネットワークポートと、そのネットワークポートにアクセスしてきたユーザー端末に対応付けられているネットワークポートとが一致する場合（ステップＳ３でＹｅｓと判断された場合）には、ステップＳ５，Ｓ６へと処理を進め、ネットワーク設定記憶部１２に記憶されている対応するネットワーク設定を用いて、ネットワーク通信を行う。
【００４０】
例えば、アクセスのあったネットワークポートがネットワークポートＰａであり、そのネットワークポートＰａにアクセスしてきたユーザー端末がＡ１であった場合、図２のユーザー／ポート対応テーブルより、ユーザー端末Ａ１にはネットワークポートＰａが対応付けられており、両ネットワークポートが一致することから、この場合には、ネットワーク設定Ａを用いて、ネットワーク通信を行う。すなわち、この場合にはネットワーク通信を許可する。
【００４１】
一方、アクセスのあったネットワークポートと、そのネットワークポートにアクセスしてきたユーザー端末に対応付けられているネットワークポートとが一致しない場合（ステップＳ３でＮｏと判断された場合）には、ステップＳ７へと処理を進め、ネットワーク通信を禁止する。
【００４２】
例えば、アクセスのあったネットワークポートがネットワークポートＰａであり、そのネットワークポートＰａにアクセスしてきたユーザー端末がＢ１であった場合、図２のユーザー／ポート対応テーブルより、ユーザー端末Ｂ１にはネットワークポートＰｂが対応付けられており、両ネットワークポートが一致しないことから、この場合には、ネットワーク通信を禁止（拒否）する。
【００４３】
このように、ネットワーク通信の実施形態１では、ユーザー端末をネットワークポートと対応付け（関連付け）することで、例えば任意のユーザー端末が、関連付けされていない他のネットワークポートからアクセスしてきたような場合にはこれを拒否できるので、ユーザーの成りすまし等を防止することができる。また、各ユーザー端末を使用するユーザーは、それぞれのユーザー端末が事前に適切なネットワークポートに対応付けられているので、自身が利用するネットワーク設定について、その使い分けを意識しなくても、常に適切なネットワーク設定を利用することができる。
【００４４】
＜ネットワーク通信の実施形態２の説明＞
次に、上記構成の通信装置１を用いてネットワーク通信を行う実施形態２について説明する。
【００４５】
実施形態２では、各ユーザーは、スキャン画像等のファイルを送信するためにメールアドレスやファイルサーバー等のアドレスをアドレス帳に登録することができる。これらのアドレスにもネットワークポートを対応付けて記憶する。
【００４６】
図４は、各ユーザーのアドレス帳の例を一覧表示で示している。
【００４７】
この場合、アドレスを登録したユーザー（ユーザー端末）に関連付けしたネットワークポートと同じネットワークポートを設定する。
【００４８】
これにより、ＭＦＰにてスキャンした画像を添付してメール送信する場合には、ネットワークポート毎に設定された適切なメールサーバーが自動的に選択される。例えば、ユーザー端末Ａ１がＭＦＰにてスキャンした画像を添付してメール送信する場合には、ネットワークポートＰａに対応したネットワーク設定Ａにより設定された適切なメールサーバーが自動的に選択されることになる。
【００４９】
また、ＭＦＰにてスキャンした画像をファイルサーバーに送信する場合にも、ネットワークポート毎に設定された適切なＤＮＳサーバーが使用されて、ファイルサーバーの名前が正しく決定される。例えば、ユーザー端末Ｂ１がＭＦＰにてスキャンした画像をファイルサーバーに送信する場合には、ネットワークポートＰｂに対応したネットワーク設定Ｂにより設定された適切なＤＮＳサーバーが使用されて、適切なファイルサーバーが自動選択されることになる。
【００５０】
なお、上記２例の場合のネットワーク通信に際しては、ＭＦＰのＩＰアドレス、サブネット、ゲートウェイについても、ネットワークポート個別の適切な設定値が使用される。
【００５１】
次に、ユーザー／ポート対応テーブルに新規ユーザー、すなわち、新規のユーザー端末を登録する場合の実施形態について説明する。
【００５２】
＜外部機器等からユーザー端末を新規登録する実施形態３の説明＞
実施形態３では、制御部１１の登録部１１ｂは、任意のネットワークポートに接続された登録済みのユーザー端末から新たなユーザー端末の登録要求があった場合には、接続されているネットワークポートを新たに登録されるユーザー端末が使用するネットワークポートとして自動的に設定し、記憶部１３のユーザー／ポート対応テーブルに追加記憶する構成としている。
【００５３】
すなわち、登録済みのユーザー端末から新たなユーザー端末の登録要求があった場合、登録済みユーザー端末が接続されているネットワークポートを自動判別し、新たに登録要求されたユーザー端末が使用するネットワークポートとして、自動判別したネットワークポートを設定する構成としている。
【００５４】
例えば、グループＡに所属する登録済みのユーザー端末Ａ２から、同じグループＡに所属する新たなユーザー端末Ａｎの登録要求があった場合、登録部１１ｂは、登録済みユーザー端末Ａ２が接続されているネットワークポートＰａを自動判別し、新たに登録要求されたユーザー端末Ａｎが使用するネットワークポートとして、自動判別したネットワークポートＰａを設定し、ユーザー／ポート対応テーブルに追加記憶する。これにより、ユーザー／ポート対応テーブルには、図５に示すように、グループＡのユーザー端末として、ユーザー端末ＡｎがネットワークポートＰａに対応付けられて自動登録される。
【００５５】
すなわち、ユーザー側で使用するネットワークポートを直接指定して設定する必要がないため、使用するネットワークポートの設定ミスを防止することができる。例えば、グループＢのユーザー端末（例えばＢ１）を使用するユーザーが、同じグループＢに所属するユーザー端末Ｂｎの使用ポートとしてネットワークポートＰａを指定しようとしても、登録部１１ｂがユーザー端末Ｂ１の接続ポートを確認し、新たなユーザー端末Ｂｎの使用ポートをネットワークポートＰｂに自動登録することになる。すなわち、グループＢのユーザー端末Ｂｎの使用ポートをネットワークポートＰａに設定することを拒否することができる。これにより、ユーザーの成りすまし等を防止することができる。
【００５６】
すなわち、ユーザー端末Ｂ１を使用して意図的にユーザー端末Ｂｎの使用ポートをネットワークポートＰａに設定しようとしても、登録部１１ｂ側でこれを拒否するので、ユーザーの成りすまし等を防止することができる。
【００５７】
＜登録画面からユーザー端末を新規登録する実施形態４の説明＞
図６は、実施形態４に対応した通信装置１の機能ブロック図である。
【００５８】
この通信装置１は、図１に示す通信装置１に加え、各ネットワークポートに接続される新たなユーザー端末を登録する登録画面を表示する表示部１４をさらに備えている。
【００５９】
表示部１４は、液晶パネルの上に入力部であるタッチパネルシートを貼り付けたタッチパネル方式の表示部である。なお、入力部については、タッチパネルシートの周辺に配置されたハードキー等も含めて構成してもよい。
【００６０】
このような構成の通信装置１において、実施形態３では、制御部１１の登録部１１ｂは、表示部１４の登録画面から、記憶部１３に記憶されているユーザー端末の認証情報と新たに登録するユーザー端末の情報とが入力された場合には、認証情報が入力されたユーザー端末に対応しているネットワークポートを新たに登録されたユーザー端末が使用するネットワークポートとして自動的に設定し、記憶部１３のユーザー／ポート対応テーブルに追加記憶する構成としている。
【００６１】
すなわち、表示部１４の登録画面から記憶部１３に記憶されているユーザー端末の認証情報と新たに登録するユーザー端末の情報とが入力された場合、認証情報が入力されたユーザー端末に対応しているネットワークポートを、新たに登録されたユーザー端末が使用するネットワークポートとして自動設定する構成としている。
【００６２】
例えば、グループＡに所属する登録済みのユーザー端末Ａ２のユーザーが、表示部１４の登録画面に自機の認証情報として例えばＩＤとパスワードを入力し、同じグループＡに登録する新たなユーザー端末Ａｒの情報（例えばユーザー端末ＡｒのＩＤとパスワード等）を入力して登録要求を行うと、登録部１１ｂは、記憶部１３のユーザー／ポート対応テーブル（図２）を参照して、ユーザー端末Ａ２に対応付けされているネットワークポートＰａを取得し、新たに登録されるユーザー端末Ａｒが使用するネットワークポートとして、取得したネットワークポートＰａを自動的に設定し、ユーザー／ポート対応テーブルに追加記憶する。これにより、ユーザー／ポート対応テーブルには、図７に示すように、グループＡのユーザー端末として、ユーザー端末ＡｒがネットワークポートＰａに対応付けられて自動登録される。
【００６３】
すなわち、ユーザー側で使用するネットワークポートを直接指定して設定する必要がないため、使用するネットワークポートの設定ミスを防止することができる。また、グループＢのユーザー端末（例えばＢ１）を使用するユーザーが、登録画面から、同じグループＢに所属するユーザー端末Ｂｎの使用ポートとしてネットワークポートＰａを指定しようとしても、登録部１１ｂがユーザー／ポート対応テーブルを参照してユーザー端末Ｂ１の接続ポートを確認し、新たなユーザー端末Ｂｎの使用ポートをネットワークポートＰｂに自動登録することになる。すなわち、グループＢのユーザー端末Ｂｎの使用ポートをネットワークポートＰａに設定することを拒否することができる。これにより、ユーザーの成りすまし等を防止することができる。
【００６４】
なお、上記実施形態４では、ユーザーの認証情報としてＩＤとパスワードを例示しているが、その他にも例えば指紋認証や顔認証、静脈認証等、種々の認証手段を用いてユーザー認証を行うことが可能である。
【００６５】
本発明は、その精神または主要な特徴から逸脱することなく、他のいろいろな形で実施することができる。そのため、上述の実施形態はあらゆる点で単なる例示にすぎず、限定的に解釈してはならない。本発明の範囲は請求の範囲に示すものであって、明細書本文には、なんら拘束されない。さらに、請求の範囲の均等範囲に属する変形や変更は、全て本発明の範囲内のものである。
【産業上の利用可能性】
【００６６】
本発明は、複写機、複合機、ファクシミリ装置等の画像形成装置に本発明の通信装置を適用した場合について説明しているが、画像形成装置に限らず、複数のネットワークポートを備え、ネットワークポート毎にユーザーやグループを割り当てる必要のある電気／電子機器に関する技術分野全般に寄与するところは大きい。
【符号の説明】
【００６７】
１  画像形成装置（ＭＦＰ）
１１  制御部
１１ａ  通信制御部
１１ｂ  登録部
１２  ネットワーク設定記憶部
１３  記憶部
１４  表示部
２１，２２  ネットワークケーブル
Ｐａ，Ｐｂ  ネットワークポート
Ａ１，Ａ２，・・・，Ａｍ，Ｂ１，Ｂ２，・・・，Ｂｍ  ユーザー端末
【図１】
2017084124.tif 000003
【図２】
2017084124.tif 000004
【図３】
2017084124.tif 000005
【図４】
2017084124.tif 000006
【図５】
2017084124.tif 000007
【図６】
2017084124.tif 000008
【図７】
2017084124.tif 000009